(57)【要約】【課題】映画などのプログラムを上映する劇場において、映画投影画像を撮像した映像信号を検出して、盗撮行為を防止する撮像装置を提供する。【解決手段】撮像部１０１により撮像した画像を電気信号に変換した後、フィールド平均輝度演算部１０４において、撮像画像の１フィールドの平均輝度を算出する。制御部１０６は、供給された連続する５つの撮像フィールドのフィールド平均輝度を測定し、最大輝度と最小輝度の比率を判定することにより、映画の盗撮を検出する。映画の盗撮を検出した場合に、警告送出部１０５を介し、画像表示部１０３に警告メッセージを表示すると共に、記録部１０２は、記録メディアの記録データの消去を行う、あるいは、警告メッセージと映像とを記録メディアへ記録する。  【選択図】図１
2008278454.tif 000002
【特許請求の範囲】
【請求項１】
入来する撮像光を撮像素子により光電変換し映像信号に変換する撮像部と、
前記映像信号を記録する記録部と、
前記映像信号を表示する画像表示部と、
前記映像信号の１フィールドの平均輝度を算出するフィールド平均輝度演算部と、
前記映像信号の所定の期間内において前記１フィールド平均輝度の最大値と最小値との比率を算出し、前記比率が予め定めた閾値以上であるかを検出することによって、前記映像信号が映画投影画像を撮像した映像信号であるか否かを検出する検出部と、
前記検出部が映画投影画像を撮像した映像信号であることを検出した場合に、警告メッセージを前記画像表示部に送出する警告送出部と、
を備えることを特徴とする撮像装置。
【請求項２】
入来する撮像光を撮像素子により光電変換し映像信号に変換する撮像部と、
前記映像信号を記録する記録部と、
前記映像信号を表示する画像表示部と、
前記映像信号の１フィールドを第１の期間と第２の期間とに分割し、前記第１の期間と前記第２の期間とのそれぞれの平均輝度を算出する平均輝度演算部と、
前記映像信号の所定の期間内において前記１フィールド毎に前記第１の期間と前記第２の期間との平均輝度の最大値と最小値との比率を算出し、前記比率が予め定めた閾値以上であるかを検出することによって、前記映像信号が映画投影画像を撮像した映像信号であるか否かを検出する検出部と、
前記検出部が映画投影画像を撮像した映像信号であることを検出した場合に、警告メッセージを前記画像表示部に送出する警告送出部と、
を備えることを特徴とする撮像装置。
【請求項３】
入来する撮像光を撮像素子により光電変換し映像信号に変換する撮像部と、
前記映像信号を記録する記録部と、
前記映像信号を表示する画像表示部と、
前記入来する撮像光の輝度を予め定めた期間毎に測定する輝度測定部と、
前記輝度測定部により測定した撮像光の平均輝度を前記期間毎に算出する平均輝度演算部と、
複数の前記期間内における前記撮像光の平均輝度の最大値と最小値との比率を算出し、前記比率が閾値以上であるかを検出することによって、前記映像信号が映画投影画像を撮像した映像信号であるか否かを検出する検出部と、
前記検出部が映画投影画像を撮像した映像信号であることを検出した場合に、警告メッセージを前記画像表示部に送出する警告送出部と、
を備えることを特徴とする撮像装置。
【請求項４】
前記記録部が前記映像信号を記録している状態で、前記検出部が映画投影画像を撮像した映像信号であることを検出した場合に、前記記録部による記録を強制的に停止させるよう制御する制御部を備えることを特徴とする請求項１乃至請求項３に記載の撮像装置。
【請求項５】
前記検出部が映画投影画像を撮像した映像信号であることを検出した場合に、前記記録部は、記録する映像画像に前記警告メッセージを重畳して記録することを特徴とする請求項１乃至請求項３に記載の撮像装置。
【請求項６】
前記制御部は、前記記録部が記録を開始してから記録が停止するまでに記録した映像信号を消去するよう前記記録部を制御することを特徴とする請求項４に記載の撮像装置。
【請求項７】
映像信号を再生して画像表示部に供給する再生部と、
前記再生部より再生された再生映像信号の１フィールドの平均輝度を算出するフィールド平均輝度演算部と、
前記再生映像信号の所定の期間内において前記１フィールド平均輝度の最大値と最小値との比率を算出し、前記比率が予め定めた閾値以上であるかを検出することによって、前記再生映像信号が映画投影画像を撮像した映像信号であるか否かを検出する検出部と、
前記検出部が映画投影画像を撮像した映像信号であることを検出した場合に、警告メッセージを前記再生部に送出する警告送出部と、
を備えることを特徴とする再生装置。
【請求項８】
映像信号を再生して画像表示部に供給する再生部と、
前記再生部より再生された再生映像信号の１フィールドを第１の期間と第２の期間とに分割し、前記第１の期間と前記第２の期間とのそれぞれの平均輝度を算出する平均輝度演算部と、
複数の前記期間内における前記１フィールド毎に前記第１の期間と前記第２の期間との平均輝度の最大値と最小値との比率を算出し、前記比率が予め定めた閾値以上であるかを検出することによって、前記再生映像信号が映画投影画像を撮像した映像信号であるか否かを検出する検出部と、
前記検出部が映画投影画像を撮像した映像信号であることを検出した場合に、前記検出部より制御信号が供給され、警告メッセージを前記再生部に送出する警告送出部と、
を備えることを特徴とする再生装置。
【請求項９】
前記検出部が映画投影画像を撮像した再生映像信号であることを検出した場合に、前記再生部は、前記警告メッセージを前記再生映像信号に重畳することを特徴とする請求項７又は請求項８に記載の再生装置。
【請求項１０】
前記検出部が映画投影画像を撮像した再生映像信号であることを検出した場合に、前記再生部による再生を強制的に停止させる制御部を備えることを特徴とする請求項７又は請求項８に記載の再生装置。
【発明の詳細な説明】
【技術分野】
【０００１】
本発明は、映画などのプログラムを上映する劇場において盗撮行為を防止する撮像装置、及び盗撮された画像の再生を防止する再生装置に関する。
【背景技術】
【０００２】
従来、映画などのプログラムを上映する劇場内で撮像装置による盗撮行為が行われ、それを違法にコピーした、いわゆる海賊版ＤＶＤ等の複写物が作製されるという問題がある。近年、撮像装置の解像度が飛躍的に向上し、ＨＤ（High Definition television）に対応した機種が登場してきており、より高画質な映像が撮像可能となっている。このような状況下において、盗撮はさらに大きな問題となってきている。
【０００３】
これに対し、撮像装置の遠隔制御用信号である赤外光を、撮像装置の記録動作を妨害するコードとして、劇場内に設置された送信装置より送信することにより、継続的な記録を妨害する提案がされている（例えば、特許文献１参照。）。
【０００４】
また、撮像装置に備えられた受動型、あるいは能動型のＲＦタグを用いて、劇場の入場時に読み取ったデータと退場時に読み取ったデータとから、劇場内での撮像装置の盗撮行為を判断する提案がされている（例えば、特許文献２参照。）。
【０００５】
【特許文献１】特開２００４−５６７６９号公報
【特許文献２】特開２００５−５１４８７号公報
【発明の開示】
【発明が解決しようとする課題】
【０００６】
ところで、特許文献１に記載されている提案では、撮像装置の遠隔制御用信号の信号を送信する装置が複数台必要であり、劇場等の設備を設ける必要があるという問題があった。
【０００７】
また、特許文献２に記載されている提案では、撮像装置がＲＦタグを備えているものであること、劇場にＲＦタグリーダやタグ情報を管理するデータベースサーバ等の設備を設ける必要があるという問題があった。
【０００８】
さらに、特許文献１，２のそれぞれに記載されている提案では、光制御信号や無線信号を撮像装置が受信することで盗撮行為を防止しようとする提案であり、撮像装置自体に光制御信号や無線信号を遮蔽する手段を施すことで、容易に盗撮行為が可能になるという問題があった。
【０００９】
さらにまた、再生装置においては、その再生画像が、劇場内で撮像装置による盗撮行為が行われた再生映像かどうかの検出手段が設けられておらずそのまま再生が可能であるという問題があった。
【００１０】
本発明は、以上の点に鑑みなされたもので、劇場の設備の変更や追加を行うことなく、映画投影画像を撮像した映像信号を検出して、劇場での盗撮行為を防止する撮像装置、及び、映画投影画像を撮像した映像信号を検出して、劇場での盗撮行為を行った映像の再生を防止する再生装置を提供することを目的とする。
【課題を解決するための手段】
【００１１】
本発明は、上記課題を解決するために、以下１）〜１０）に記載の手段よりなる。
すなわち、
１）入来する撮像光を撮像素子により光電変換し映像信号に変換する撮像部と、
前記映像信号を記録する記録部と、
前記映像信号を表示する画像表示部と、
前記映像信号の１フィールドの平均輝度を算出するフィールド平均輝度演算部と、
前記映像信号の所定の期間内において前記１フィールド平均輝度の最大値と最小値との比率を算出し、前記比率が予め定めた閾値以上であるかを検出することによって、前記映像信号が映画投影画像を撮像した映像信号であるか否かを検出する検出部と、
前記検出部が映画投影画像を撮像した映像信号であることを検出した場合に、警告メッセージを前記画像表示部に送出する警告送出部と、
を備えることを特徴とする撮像装置。
２）入来する撮像光を撮像素子により光電変換し映像信号に変換する撮像部と、
前記映像信号を記録する記録部と、
前記映像信号を表示する画像表示部と、
前記映像信号の１フィールドを第１の期間と第２の期間とに分割し、前記第１の期間と前記第２の期間とのそれぞれの平均輝度を算出する平均輝度演算部と、
前記映像信号の所定の期間内において前記１フィールド毎に前記第１の期間と前記第２の期間との平均輝度の最大値と最小値との比率を算出し、前記比率が予め定めた閾値以上であるかを検出することによって、前記映像信号が映画投影画像を撮像した映像信号であるか否かを検出する検出部と、
前記検出部が映画投影画像を撮像した映像信号であることを検出した場合に、警告メッセージを前記画像表示部に送出する警告送出部と、
を備えることを特徴とする撮像装置。
３）入来する撮像光を撮像素子により光電変換し映像信号に変換する撮像部と、
前記映像信号を記録する記録部と、
前記映像信号を表示する画像表示部と、
前記入来する撮像光の輝度を予め定めた期間毎に測定する輝度測定部と、
前記輝度測定部により測定した撮像光の平均輝度を前記期間毎に算出する平均輝度演算部と、
複数の前記期間内における前記撮像光の平均輝度の最大値と最小値との比率を算出し、前記比率が閾値以上であるかを検出することによって、前記映像信号が映画投影画像を撮像した映像信号であるか否かを検出する検出部と、
前記検出部が映画投影画像を撮像した映像信号であることを検出した場合に、警告メッセージを前記画像表示部に送出する警告送出部と、
を備えることを特徴とする撮像装置。
４）前記記録部が前記映像信号を記録している状態で、前記検出部が映画投影画像を撮像した映像信号であることを検出した場合に、前記記録部による記録を強制的に停止させるよう制御する制御部を備えることを特徴とする１）乃至３）に記載の撮像装置。
５）前記検出部が映画投影画像を撮像した映像信号であることを検出した場合に、前記記録部は、記録する映像画像に前記警告メッセージを重畳して記録することを特徴とする１）乃至３）に記載の撮像装置。
６）前記制御部は、前記記録部が記録を開始してから記録が停止するまでに記録した映像信号を消去するよう前記記録部を制御することを特徴とする４）に記載の撮像装置。
７）映像信号を再生して画像表示部に供給する再生部と、
前記再生部より再生された再生映像信号の１フィールドの平均輝度を算出するフィールド平均輝度演算部と、
前記再生映像信号の所定の期間内において前記１フィールド平均輝度の最大値と最小値との比率を算出し、前記比率が予め定めた閾値以上であるかを検出することによって、前記再生映像信号が映画投影画像を撮像した映像信号であるか否かを検出する検出部と、
前記検出部が映画投影画像を撮像した映像信号であることを検出した場合に、警告メッセージを前記再生部に送出する警告送出部と、
を備えることを特徴とする再生装置。
８）映像信号を再生して画像表示部に供給する再生部と、
前記再生部より再生された再生映像信号の１フィールドを第１の期間と第２の期間とに分割し、前記第１の期間と前記第２の期間とのそれぞれの平均輝度を算出する平均輝度演算部と、
複数の前記期間内における前記１フィールド毎に前記第１の期間と前記第２の期間との平均輝度の最大値と最小値との比率を算出し、前記比率が予め定めた閾値以上であるかを検出することによって、前記再生映像信号が映画投影画像を撮像した映像信号であるか否かを検出する検出部と、
前記検出部が映画投影画像を撮像した映像信号であることを検出した場合に、前記検出部より制御信号が供給され、警告メッセージを前記再生部に送出する警告送出部と、
を備えることを特徴とする再生装置。
９）前記検出部が映画投影画像を撮像した再生映像信号であることを検出した場合に、前記再生部は、前記警告メッセージを前記再生映像信号に重畳することを特徴とする７）又は８）に記載の再生装置。
１０）前記検出部が映画投影画像を撮像した再生映像信号であることを検出した場合に、前記再生部による再生を強制的に停止させる制御部を備えることを特徴とする７）又は８）に記載の再生装置。
【発明の効果】
【００１２】
本発明の撮像装置によれば、撮像装置で撮像された画像から盗撮行為を検出することが可能であり、無線送信や赤外光送信、ＲＦタグ送信などの外的な制御を用いずに盗撮行為を防止することができる。
【００１３】
また、外的な制御を用いないため、劇場設備の追加や変更が不必要であり、映画フィルムへの加工や編集も必要なく盗撮行為を防止することができるという効果を奏する。
【００１４】
さらに、本発明の再生装置によれば、再生された画像から盗撮された画像であることが判別可能であり、再生装置において盗撮画像の再生を防止することができるという効果を奏する。
【発明を実施するための最良の形態】
【００１５】
以下、本発明に係る撮像装置を実施するための最良の形態につき、好ましい実施例により説明する。
【００１６】
＜実施例１＞
図１を用いて実施例１に適用される撮像装置の構成例を説明する。撮像部１０１は、撮像した画像を電気信号に変換すると共に、被写体にレンズの焦点を合わせる等の光学的な機能を果たす。記録部１０２は、撮像した画像を磁気テープ、ＨＤＤ、磁気ディスク、メモリ、光ディスク等の記録メディアに書き込みを行う。また、制御部１０６からの指示により記録データの消去を行う。画像表示部１０３は、撮像画像や撮像するにあたり、時間などの撮像に必要な情報を表示したり、記録部１０２に記録された画像を表示する。フィールド平均輝度演算部１０４は、撮像画像の１フィールドの平均輝度を算出する。警告送出部１０５は、制御部１０６が映画の盗撮を検出した場合に、画像表示部１０３に警告メッセージを表示すると同時に、記録部１０２にも警告メッセージを送出する。記録部１０２は、警告メッセージを撮像画像に重畳させて記録する。
【００１７】
制御部１０６は、撮像や記録などの撮像処理、記録処理全般を行うとともに、後述のＲＯＭ１０８内の既定数に従って映画の盗撮の有無を検出する検出部を備えている。ＲＡＭ１０７は、５フィールド分の平均輝度の値、後述する検出数Ｋ、及び処理フィールド数Ｆ、を一時的に保存しており、演算時のワーク領域としても使用される。ＲＯＭ１０８は、後述する既定輝度比率Ｙlim、既定検出数Ｋmax、既定フィールド数Ｆmaxを格納している。
【００１８】
ここで、図２〜図６を用いて、通常撮像と映画の盗撮との判別する方法について説明する。図２は、映画フレームとＮＴＳＣ方式の撮像装置の撮像フィールドの関係を示した図である。同図に示すように、映画は２４ｆｐｓ（２４フレーム／秒）であり、ＮＴＳＣ方式の撮像装置の画像フィールドは６０ｆｐｓ（６０フィールド／秒＝３０フレーム／秒）であり、つまりは、映画の２フレームと撮像画像の５フィールドとは同じ長さになる。
【００１９】
図３は、映画の映写方法を示した図である。映画フィルムは２４フレーム／秒であるが、通常劇場で上映する場合、２４フレーム／秒をそのまま毎秒２４回の明暗として投影すると鑑賞者は耐え難いフリッカを感じてしまう。このため、１フレームを均等に４分割し、１分割目を投影、２分割目を不投影、３分割目を投影、４分割目を不投影（フィルム送り）となるようにシャッターの開閉動作を行い、見かけ上、４８フレーム／秒として投影することによりフリッカを軽減させている。これにより、映画２フレーム中には４回の不投影の期間が存在することになる。つまり、図２の関係より、ＮＴＳＣ方式の撮像装置では撮像画像５フィールド中には、４回の不投影の期間が撮像されることになる。
【００２０】
図４は、通常撮像時のフィールド平均輝度変化例を示した図である。同図に示すように、人物、景色などの画像の撮像のような通常の撮像をしている場合は、撮像フィールドに記録される画像は連続したものであり、撮像フィールドのフィールド平均輝度の変化は小さいものである。輝度変化が激しい場面が撮像されることはまれであり、ましてその状態が長時間に渡って継続されることは起こり得ないと考えられる。
【００２１】
図５に映画盗撮時のフィールド平均輝度変化例１を示す。映画のフレームの投影と撮像が同時に開始された場合について、フィールドごとのフィールド平均輝度をあらわしたものである。
【００２２】
図５中に、映画フレームに記載されているＡ１〜Ａ５は、映画フレームを意味しており、シーンチェンジなどのように場面がまったく異なる場合を除いて、多くの場合は隣接した映画フレーム同士のフィールド平均輝度には大きな差はないと考えられるので、この例においてもフレームＡ１〜Ａ５のフィールド平均輝度は同一として扱っている。また、撮像フィールド中に記載されているＡ１は、映画フレームＡ１が撮像されていることをあらわしており、Ａ２〜Ａ５も同様である。
【００２３】
１番目と２番目の撮像フィールドは映画フレームＡ１の投影期間をすべて撮像することになるが、不投影の期間の一部も同時に撮像することになる。よって、フィールド内のすべてで投影期間を撮像した時の輝度を１００％とした場合の１番目と２番目の撮像フィールドの輝度は６２．５％の輝度となってしまう。この輝度は、連続する５つの撮像フィールド中で最大値（Ｙmax）となる。
【００２４】
逆に４番目と５番目のフィールドは不投影の期間をすべて撮像することになるので、連続する５つの撮像フィールドの中で輝度は最小値（Ｙmin）となり、その４番目と５番目のフィールドの輝度は、フィールド内のすべてで投影期間を撮像した時の輝度を１００％とした場合の３７．５％となる。３番目の撮像フィールドは投影期間と不投影期間が半分ずつ撮像されることになるので輝度は中間値となる。つまり、２つの映画フレーム内の４つの不投影期間によって、撮像された撮像フィールドのフィールド平均輝度は大きな輝度変化をもつことになる。
【００２５】
図６に映画盗撮時のフィールド平均輝度変化例２を示す。映画のフレームの投影開始と撮像がずれて開始された場合について、フィールドごとのフィールド平均輝度を表したものである。
【００２６】
映画フレームおよび撮像フィールドの図６に記載されているＡ１〜Ａ５は、図５と同じ意味で用いている。図６のＸ１は映画フレームＡ１とＡ２が撮像されるフィールドであり、Ｘ２はＡ３とＡ４、Ｘ３はＡ５とＡ６が撮像されるフィールドを意味する。
【００２７】
図５と同様にＡ１〜Ａ５の輝度はすべて同じとして扱うのでＸ１〜Ｘ３のフィールド平均輝度も単一映画フレームを撮像した時と同じとして扱うことができる。図６においては、２番目の撮像フィールドが最小輝度（全投影の場合の３７．５％）、４番目と５番目の撮像フィールドが最大輝度（全投影の場合の６２．５％）となる。
【００２８】
図５と図６において、２つの撮像タイミングについての撮像フィールドのフィールド平均輝度の変化を示したが、映画フレームに対してどのタイミングで撮像を開始しても、投影期間のすべてを撮像する撮像フィールド、不投影期間のすべてを撮像する撮像フィールドは連続する５つの撮像フィールドの中に少なくとも１つは含まれることは明らかである。すなわち、シーンチェンジのように大きく場面が切り替わる部分を撮像した撮像フィールドを除けば、連続する５つの撮像フィールドのフィールド平均輝度値は不投影期間により発生する最小輝度と最大輝度を含むことになる。
【００２９】
この最大輝度と最小輝度との輝度比率は、１．６７（６２．５÷３７．５）と大きく、しかも５つの撮像フィールドごとに連続して観測され、通常撮像時には起こりえない輝度変化の状態である。すなわち、連続する５つの撮像フィールドのフィールド平均輝度を測定し、最大輝度と最小輝度との輝度比率を検出することにより、映画の盗撮行為を判別することが可能となる。
【００３０】
図１及び図７を用いて撮像装置の動作について詳細に説明する。図７は、実施例１に適用される撮像装置の動作のフローチャートを示したものである。
図７に示すように、記録が開始されると同時に、フィールド平均輝度演算部１０４により撮像フィールドごとのフィールド平均輝度を取得し（ステップＳ０１）、５フィールド分のフィールド平均輝度の最大値Ｙmaxと最小値Ｙminとより輝度比率Ｙratを制御部１０６により算出する（ステップＳ０２〜ステップＳ０３）。
【００３１】
上述の説明のように、連続する５つの撮像画像フィールドの平均輝度の最大値Ｙmaxと最小値Ｙminとの輝度比率Ｙratが１．６７（６２．５÷３７．５）となることを検出すれば映画の盗撮行為を判別することが可能となる。しかしながら、外光等により、平均輝度の最大値Ｙmax、最小値Ｙminは影響を受ける可能性があるので、その場合にも盗撮の検出が可能となるように、１．６７に対し小さな値、例えば１．５を既定輝度比率Ｙlimに設定する。
そして、求めた輝度比率ＹratがＲＯＭ１０８内の既定輝度比率Ｙlim以上かどうかを判断し（ステップＳ０４）、もしそれ以上であれば検出数Ｋをカウントアップさせる（ステップＳ０５）。
【００３２】
次に検出数ＫがＲＯＭ内の予め定めた検出数である既定検出数Ｋmax以上かどうかを判断し（ステップＳ０６）、検出数Ｋが既定検出数Ｋmax以上であった場合には、一定の時間、警告メッセージを画像表示部１０３に表示するとともに、記録部１０２により撮像画像に重畳させて記録する（ステップＳ１０）。次に、ユーザの意向とは無関係に強制的に記録を終了し（ステップＳ１１）、制御部１０６は、記録した記録画像の消去を行う（ステップＳ１２）。
【００３３】
警告メッセージ表示することで、ユーザに盗撮行為が検出されたことにより記録が終了することを認識させることができる。なお、記録画像を消去するにもかかわらず警告メッセージを撮像画像に記録するのは、磁気テープ、光ディスクなどの記録媒体を瞬時に抜き取られた場合においても記録画像の価値を著しく低下させることが可能となり、記録画像を瞬時に辞去できないメディアに対しても盗撮行為を無意味なものにするためである。
【００３４】
検出数ＫがＲＯＭ内の予め定めた検出数である既定検出数Ｋmax以上かどうかを判断し（ステップＳ０６）、検出数Ｋが既定検出数Ｋmaxより小であった場合には、検出フィールド数Ｆに５を加算する（ステップＳ０７）。その検出フィールド数Ｆを検出するために予め設定したフィールド数である既定フィールド数Ｆmax以上か否かを判別し（ステップＳ０８）、検出フィールド数Ｆが既定フィールド数Ｆmax以上の場合は、検出数Ｋ、検出フィールド数Ｆをそれぞれ０に設定し検出処理を始めから実施する（ステップＳ０９）。検出フィールド数Ｆが既定フィールド数Fｍａｘより小の場合は、検出処理を続行する。
【００３５】
ここで、既定フィールド数Fmax、既定検出数Ｋmaxについて説明する。盗撮検出を短時間で行った場合、映画の映像の輝度変化などの外乱により誤検出が発生する可能性がある。この外乱が長時間連続する可能性は極めて低いので、ある程度の検出期間を設ければ誤検出は防止可能である。その反面、盗撮検出期間中は映画の撮像が可能となってしまい、検出期間を長くすればするほど盗撮される可能性が高くなる。
よって、検出期間は数分〜十数分程度に設定するのが望ましい。検出期間を１０分とした場合には、既定フィールド数Ｆmaxは３６０００フィールド（６０フィールド／秒×６０秒×１０分）となる。
【００３６】
本実施例１の場合、５フィールドで１回の盗撮検出となるので、検出期間中の検出回数は、既定フィールド数Ｆmaxを上述のように３６０００フィールドとすると、７２００回（Fmax÷５フィールド）となる。この検出回数のうち、たとえば５割３６００回を既定検出数Ｋmaxに設定し、既定検出数Ｋmaxの検出回数において既定輝度比率Ｙlim以上の値が検出された場合に映画の盗撮と判定するようにする。
【００３７】
上述のフローチャートの動作説明においては既定フィールド数Ｆmax、既定検出数Ｋmaxを一定値として説明したが、既定フィールド数Ｆmax、既定検出数Ｋmaxを撮像の都度設定する構成としてもよい。また、５フィールドで１回の盗撮検出となる例で説明したが、盗撮検出の単位は、５フィールドに限定されず、撮像画像フィールドの平均輝度の最大値Ｙmaxと最小値Ｙminとが検出可能なフィールド数であればよい。
【００３８】
＜実施例２＞
次に、図８を用いて実施例２に適用される撮像装置の構成例を説明する。撮像部２１０１は、撮像した画像を電気信号に変換すると共に、被写体にレンズの焦点を合わせる等の光学的な機能を果たす。記録部２１０２は、撮像した画像を磁気テープ、ＨＤＤ、磁気ディスク、メモリ、光ディスク等の記録メディアへの書き込みを行う。また、記録部２１０２は、制御部２１０６からの指示により記録データの消去を行う。
【００３９】
画像表示部２１０３は、撮像画像や撮像するにあたり、時間などの撮像に必要な情報の表示したり、記録部２１０２に記録された画像を表示する。平均輝度演算部２１０４は、撮像画像のフィールドの平均輝度、またフィールドを分割して平均輝度を算出する。警告送出部２１０５は、制御部２１０６が映画の盗撮を検出した場合に、表示部に警告メッセージを表示すると同時に、記録部２１０２にも警告メッセージを送出する。記録部２１０２は、警告メッセージを撮像画像に重畳させて記録する。記録部２１０２にも警告メッセージを映像と共に記録する機能を有する。
【００４０】
制御部２１０６は、撮像や記録などの撮像処理全般を行うとともに、後述のＲＯＭ２１０８内の定数に従って映画の盗撮の有無を検出する検出部を備えている。ＲＡＭ２１０７は、後述の期間Ｔｓ１、期間Ｔs2より得られる平均輝度の値、検出数Ｋ、処理フィールド数Ｆ、を一時的に保存しており、演算時のワーク領域としても使用される。ＲＯＭ２１０８は、後述する既定輝度比率Ｙlim、既定検出数Ｋmax、既定フィールド数Ｆmaxを格納している。
【００４１】
ここで、図９〜図１３を用いて、実施例２による通常撮像と映画の盗撮との判別する方法について説明する。図４に説明した通り、人物、景色などの画像の撮像のような通常の撮像をしている場合は、撮像フィールドに記録される画像は連続したものであり、撮像フィールドのフィールド内の輝度の変化は小さい。
【００４２】
図９に盗撮検出方法の説明図を示す。ここでは、ＮＴＳＣ方式を例にとり説明する。撮像画像の１フィールドを期間Ｔｓ１と期間Ｔｓ２と（Ｔｓ１＞Ｔｓ２）に分割し、それぞれ平均輝度演算部２１０４で平均輝度を取得する。期間Ｔｓ１から得られる撮像画像は録画用途に使用し、期間Ｔｓ２から得られる撮像画像は盗撮検出のみに使用し録画用途には使用しないものとする。ここで、録画される画像は期間Ｔｓ１のみであるので期間Ｔｓ２をむやみに大きくすると録画される画像の輝度が下がることになる。ここでは、期間Ｔｓ１と期間Ｔｓ２との期間長の比を９：１とした場合について説明する。
【００４３】
図９に示すように、１つ目のフィールドから得られる時間あたりの平均輝度をＹ１１とＹ１２、２つ目のフィールドから得られる時間あたりの平均輝度をＹ２１とＹ２２とすると、図３で説明した通り、映画の１フレーム中には不投影期間が２回あるので、図９の場合、Ｙ１１はＹ１２より大きくなりＹ２１はＹ２２より小さくなる。つまり、各フィールドの期間Ｔｓ１と期間Ｔｓ２から得られる平均輝度を比較することにより映画の盗撮の検出が可能となる。
【００４４】
図１０、図１１にＮＴＳＣ方式の撮像装置により映画を盗撮した時のフィールド平均輝度変化例を示す。図１０（ａ）に示すようにＮＴＣＳ方式では６０フィールド／秒なので映画の２４フレーム／秒を撮像した場合、映画２フレームと撮像画像５フィールドが同じ時間となる。従って、図１１に示すように不投影期間と各フィールドは同期せず、各フィールドの期間Ｔｓ１、期間Ｔｓ２から得られる平均輝度はフィールド毎に大きく異なる。
【００４５】
フィールド１の期間Ｔｓ１から得られる輝度（Ｙ１max）は期間Ｔｓ２から得られる輝度（Ｙ１min）より非常に大きくなり、また、フィールド４の期間Ｔｓ１から得られる輝度（Ｙ４min）は期間Ｔｓ２から得られる輝度（Ｙ４max）より非常に小さくなり、どちらも通常撮像時には検出されない輝度の比が発生する。その反面、フィールド３の期間Ｔｓ１、期間Ｔｓ２より得られる輝度（Ｙ３max，Ｙ３min）の比は比較的小さくなり、すべてのフィールドにおいて、大きな輝度の比が発生するとは限らない。
【００４６】
図１２、図１３にＰＡＬ方式の撮像装置により映画を盗撮した時のフィールド平均輝度変化例を示す。図１２（ａ）に示すようにＰＡＬ方式では５０フィールド／秒なので映画の２４フレーム／秒を撮像した場合、映画１２フレームと撮像画像２５フィールドが同じ時間となる。従って、図１３示すように、不投影期間と各フィールドは同期せず、各フィールドの期間Ｔｓ１、期間Ｔｓ２から得られる平均輝度はＮＴＳＣ方式と同様にフィールド毎に大きく異なる。
【００４７】
フィールド１の期間Ｔｓ１から得られる輝度（Ｙ１min）は期間Ｔｓ２から得られる輝度（Ｙ１max）より非常に小さくなり、通常撮像時には検出されない輝度の比が発生する。その反面、フィールド２の期間Ｔｓ１、期間Ｔｓ２より得られる輝度（Ｙ２min，Y２max）の比は比較的小さくなり、ＮＴＳＣ方式と同様にすべてのフィールドにおいて、大きな輝度の比が発生するとは限らない。
【００４８】
また、図１０（ｂ）、図１２（ｂ）に示すように、撮像開始位置と映画のフレームの切れ目とがずれる場合も当然に考えられる。従って、これらのことを整理すると、映画（２４フレーム／秒）を６０フィールド／秒（例えば、ＮＴＳＣ方式）および５０フィールド／秒（例えば、ＰＡＬ方式）で撮像した場合、撮像開始タイミングにより以下の３種類のケースが発生することになる。（図１１、図１３参照）
ａ）期間Ｔｓ２がすべて不投影期間を撮像するケース。
ｂ）期間Ｔｓ２が投影期間と不投影期間の両方を撮像するケース。
ｃ）期間Ｔｓ２がすべて投影期間を撮像するケース。
ａ）のケースでは、期間Ｔｓ２より得られる平均輝度は非常に小さくなり、期間Ｔｓ１から得られる平均輝度との比は大きな値となり、盗撮の検出が容易にできる。
ｂ）のケースでは、期間Ｔｓ２から得られる平均輝度は期間Ｔｓ１と大差なく、その比はａ）のケースに比べて大きくならず、盗撮の検出は難しい。
ｃ）のケースでは、期間Ｔｓ１から得られる平均輝度と期間Ｔｓ２から得られる平均輝度との比は、ａ）のケースよりは小さいが、ｂ）のケースよりは大きくなる。
ｃ）のケースの中で、期間Ｔｓ１と期間Ｔｓ２と平均輝度の比が最も小さくなるのは図１４（ＮＴＳＣ方式）と図１５（ＰＡＬ方式）に示すような位相関係にある場合であり、この位相になった場合でも盗撮の検出ができるように、予め定める既定輝度比率Ｙlim（Ymax÷Ｙmin）を設定する必要がある。
【００４９】
上述のように期間Ｔｓ１と期間Ｔｓ２の期間長の比は９：１であるので、期間Ｔｓ２から得られる平均輝度を１００％とした時の期間Ｔｓ１から得られる平均輝度は、ＮＴＳＣ方式で５８．３％、ＰＡＬ方式で４６．８％となるので、ＮＴＳＣ方式、ＰＡＬ方式のYlimは、それぞれ１．７１、２．１３に設定すれば盗撮の検出が可能となる。
外光等により、期間Ｔｓ１、期間Ｔｓ２から得られる平均輝度は影響を受ける可能性があるので、この場合にも盗撮の検出が可能となるように、それぞれＮＴＳＣ方式１．７１、ＰＡＬ方式２．１３に対して小さな値、例えば、ＮＴＳＣ方式１．５、ＰＡＬ方式１．９に既定輝度比率Ｙlimを設定する。
【００５０】
次に、図８及び図１６を用いて実施例２に適用される撮像装置の動作を説明する。図１６は、実施例２に適用される撮像装置の動作を説明するためのフローチャートである。撮像装置に電源が投入されると、撮像画像よりフィールド平均輝度を取得することにより、サンプリング期間Ｔｓ１，Ｔｓ２を決定する（ステップＳ２０１）。次に、電源ボタンが押下されたか否か、即ち、電源がオフされたか否か判定し（ステップＳ２０２）、押下された場合には処理を終了する（ステップＳ２０３）。押下されていなければ、フィールド毎の期間Ｔｓ１，Ｔｓ２の平均輝度より最大値Ｙmaxと最小値Ｙminを取得し（ステップＳ２０４）、このＹmaxとＹminより平均輝度の比Ｙratを算出する（ステップＳ２０５）。求めたＹratがＲＯＭ２１０８内の既定輝度比率Ｙlim以上かどうかを判断し（ステップＳ２０６）、もしＹlim以上であれば検出数Ｋをカウントアップさせる（ステップＳ２０７）。
【００５１】
次に、処理フィールド数Ｆをカウントアップし（ステップＳ２０８）、処理フィールド数Ｆの値が既定フィールド数Ｆmax以上かどうかの判定を行う（ステップＳ２０９）。処理フィールド数Ｆが既定フィールド数Ｆmax以上であった場合には記録中かどうかの判定を行い（ステップＳ２１０）、以下であった場合には次のフィールドの平均輝度検出を行う。記録中であった場合には検出数ＫがＲＯＭ２１０８内の既定検出数Ｋmax以上かどうかを判断し（ステップＳ２１１）、以上であった場合には、一定の時間、警告メッセージを画像表示部２１０３に表示するとともに、記録部２１０２により撮像画像にも記録する（ステップＳ２１２）。次にユーザの意向とは無関係に強制的に記録を終了し（ステップＳ２１３）、制御部２１０６は記録した記録画像の消去を行う（ステップＳ２１４）。
【００５２】
警告メッセージ表示することで、ユーザに盗撮行為が検出されたことにより記録が終了することを認識させることができる。なお、記録画像を消去するにもかかわらず警告メッセージを撮像画像に記録するのは、磁気テープ、光ディスクなどの記録媒体を瞬時に抜き取られた場合においても記録画像の価値を著しく低下させることが可能となり、記録画像を瞬時に辞去できないメディアに対しても盗撮行為を無意味なものにするためである。
【００５３】
記録中でなかった場合には、録画ボタンが押下されたかどうかを判定し（ステップＳ２１５）、押下されている場合には検出数ＫがＲＯＭ２１０８内の既定検出数Ｋmax以上かどうかを判断し（ステップＳ２１６）、以上であった場合には、一定の時間、録画できない旨の警告メッセージを画像表示部１０３の撮像画像表示部分に表示する（ステップＳ２１７）。検出数Ｋが既定検出数Ｋmaxより小さい場合には録画を開始する。（ステップＳ２１８）
【００５４】
ここで、既定フィールド数Fmax、既定検出数Ｋmaxについて説明する。盗撮検出を短時間で行った場合、映画の映像の輝度変化などの外乱により誤検出が発生する可能性がある。この外乱が長時間連続する可能性は極めて低いので、ある程度の検出期間を設ければ誤検出は防止可能である。その反面、盗撮検出期間中は映画の撮像が可能となってしまい、検出期間を長くすればするほど盗撮される可能性が高くなる。
よって、検出期間は数分〜十数分程度に設定するのが望ましい。検出期間を１０分とした場合には、既定フィールド数Ｆmaxは３６０００フィールド（６０フィールド／秒×６０秒×１０分）となる。
【００５５】
実施例２の場合、１フィールドで１回の盗撮検出となるので、検出期間中の検出回数は、既定フィールド数Ｆmaxを上述のように３６０００フィールドとすると、同数の３６０００回（Fmax÷１フィールド）となる。この検出回数のうち、たとえば５割１８０００回を既定検出数Ｋmaxに設定し、既定検出数Ｋmaxの検出回数において既定輝度比率Ｙlim以上の値が検出された場合に映画の盗撮と判定するようにする。
【００５６】
上述のフローチャートの動作説明においては既定フィールド数Ｆmax、既定検出数Ｋmaxを一定値として説明したが、既定フィールド数Ｆmax、既定検出数Ｋmaxを撮像の都度設定する構成としてもよい。
【００５７】
尚、上記実施例２においては、映画を２４フレーム／秒、撮像画像を６０フィールド／秒または５０フィールド／秒として説明したが、本発明の映画のフレーム数および映画のフィールド数はこれに限定されるのもではない。
【００５８】
尚、上記実施例２においては、１つのフィールドを２分割し、それぞれから得られる平均輝度を比較して平均輝度の比を算出したが、１フィールドの分割数はこれに限定されるものではない。また、平均輝度の比は同じフィールド内から得られる平均輝度より算出したが、これに限定されるものではなく、１フィールドの平均輝度と他のフィールドの平均輝度、１フィールドの平均輝度と他のフィールドの一部の平均輝度、１フィールドの一部の平均輝度と他のフィールドの一部の平均輝度を比較することで求めてもよい。
【００５９】
尚、図１１のフィールド１に示すように、期間Ｔｓ１と期間Ｔｓ２とを合わせた１フィールド期間の平均輝度Ｙ１aveを算出し、「期間Ｔｓ１の平均輝度がＹ１ave以下であり、かつ期間Ｔｓ２の平均輝度がＹ１ave以上であること」、または、「期間Ｔｓ１の平均輝度がＹ１ave以上であり、かつ期間Ｔｓ２の平均輝度がＹ１ave以下であること」のどちらかが成立するかを判断することを図１６におけるステップＳ２０６の処理としてもよい。
【００６０】
尚、上記実施例２においては、撮像画像の１フィールドを期間Ｔｓ１と期間Ｔｓ２と（Ｔｓ１＞Ｔｓ２）に分割し、期間Ｔｓ１から得られる撮像画像は録画用途に使用し、期間Ｔｓ２から得られる撮像画像は盗撮検出のみに使用する構成を例にとり説明したが、画像の撮像は１フィールド期間行い、平均輝度を測定する演算を期間Ｔｓ１と期間Ｔｓ２とに分割する構成としてもよい。
【００６１】
＜実施例３＞
図１７を用いて実施例３に適用される撮像装置の構成例を説明する。撮像部３１０１は、撮像を行うための撮像素子３１０１ａにより撮像した画像を電気信号に変換すると共に、被写体にレンズの焦点を合わせる等の光学的な機能を果たす。また、盗撮行為の判定に用いる可視光輝度測定素子３１０１ｂで構成される。可視光輝度測定素子３１０１ｂは、レンズを通して入来する撮像光の輝度を電気信号に変換する機能を有する。
【００６２】
記録部３１０２は、撮像した画像を磁気テープ、ＨＤＤ、磁気ディスク、メモリ、光ディスク等の記録メディアへの書き込みを行う。また、制御部３１０６からの指示により記録データの消去を行う。
【００６３】
画像表示部３１０３は、撮像画像や撮像するにあたり時間などの撮像に必要な情報の表示したり、記録部３１０２に記録された画像を表示する。平均輝度演算部３１０４は、可視光輝度測定素子３１０１ｂより得られた輝度の平均輝度を算出する。警告送出部３１０５は、映画の盗撮を検出した場合に、画像表示部３１０３に警告メッセージを表示すると同時に、記録部３１０２にも警告メッセージを送出する。記録部３１０２は、警告メッセージを撮像画像に重畳させて記録する。
【００６４】
制御部３１０６は、撮像や記録などの撮像処理全般を行うとともに、後述のＲＯＭ３１０８内の定数に従って映画の盗撮の有無を検出する検出部を備えている。また、制御部３１０６は、輝度測定フレーム数の制御を行う。ＲＡＭ３１０７は、２回分の平均輝度測定値、検出数Ｋ、処理回数Ｒ、を一時的に保存しており、演算時のワーク領域としても使用できる。ＲＯＭ３１０８は、後述する既定輝度比率Ｙlim、既定検出数Ｋmax１，Ｋmax２、既定処理回数Ｒmax、輝度測定数初期値Ｆiniを格納している。
【００６５】
次に、図１８〜図２３を用いて、本実施例３による通常撮像と映画の盗撮との判別する方法について説明する。本実施例３は、レンズより入来する撮像光の輝度を可視光輝度測定素子３１０１ｂを用いて周期的に測定することにより通常撮像と映画の盗撮との判別を行うように構成している。
【００６６】
図１８に、通常撮像時において、レンズより入来する撮像光の輝度を、可視光輝度測定素子３１０１ｂを用いて周期的に測定した場合の平均輝度変化例を示す。図１８に示すように、人物、景色などの画像の撮像のような通常の撮像をしている場合は、記録される画像は連続したものであり、一定期間の輝度を周期的に測定し、測定期間内の平均輝度を求めた場合には、各期間の平均輝度の変化は小さい。
【００６７】
次に、図１９を用いて映画フレームと輝度測定フレーム数との関係を説明する。図１８に示すように、映画の各フレームの輝度はシーンチェンジなどのように場面がまったく異なる場合を除いて、多くの場合は隣接した映画フレーム同士のフィールド平均輝度には大きな差はないと考えられるので、本実施例３においてもフレームの平均輝度は同一として説明する。図１９に示した内、４８フレーム／秒（２４フレーム／秒の偶数倍）のような輝度測定フレーム数を選択すると、各測定期間毎に投影期間と不投影期間の割合が同じになるので、各測定期間で得られる平均輝度は同値となってしまい、映画の盗撮の検出はできないことがわかる。また、４８フレーム／秒に近い輝度測定フレーム数を選択した場合も各測定期間で得られる輝度の差が小さくなり、盗撮の検出を確実に行うことができない。
【００６８】
また、図１９に輝度測定フレーム数を映画の投影である２４フレーム／秒の偶数倍ではない倍数のフレーム数である４０フレーム／秒、６０フレーム／秒、１２０フレーム／秒とした場合を示す。これらの輝度測定フレーム数においては、測定期間毎に投影期間と不投影期間の割合が異なることがわかる。さらに、測定期間を拡大したものを図２０に示す。
【００６９】
図２０に示すように、例えば、１２０フレーム／秒にてレンズよりの入来光から得られる輝度を測定した場合、測定期間１は映画の投影期間の輝度を測定したものになり、測定期間２は不投影期間の輝度を測定したものになるので、それぞれの測定期間の平均輝度Ｙ１とＹ２の比は通常撮像時に比較すると非常に大きくなる。
【００７０】
一方、測定期間３と測定期間４は不投影期間と投影期間の両方を測定して得られた輝度となり、不投影期間と投影期間の割合でほぼ決定されるが、測定期間３と測定期間４の投影、不投影の期間の割合には大差がないため、Ｙ３とＹ４にも大差がないことになる。
【００７１】
また、図２０に示すように、４０フレーム／秒、６０フレーム／秒の場合の場合も同様のことがいえる。つまり、映画の投影フレームである２４フレーム／秒と同期しない、すなわち、偶数倍ではない倍数のフレーム数にて撮像光の輝度を測定した場合、２つの撮像期間の平均輝度の比は通常撮像時に比べて大きい場合とそうでない場合が発生することがわかる。
【００７２】
以上のことより、この測定期間同士の平均輝度の比が、予め設定した閾値である既定値以上になり、その既定値以上になった測定期間が、予め設定した閾値である既定値以上の確率で発生することを検出することによって映画の盗撮行為を判別することが可能となるのである。
【００７３】
輝度測定フレーム数であるが、下記の式１を満足し、かつＭに比べてＮが大きくなるようにＭとＮを選択し、式２を満足する輝度測定フレーム数を選択すると、輝度測定期間ごとに不投影期間の撮像されるタイミング（不投影期間と輝度測定期間の位相の関係）を大きく変えることができるので、隣接する測定期間で測定される平均輝度が同値になることがなくなる。
Ｎ ≠ ａ  ×  Ｍ  （ａ＝１、２、４）                        ・・・式１
（１／映画投影フレーム数  ×  Ｍ）＝（１／輝度測定フレーム数  ×  Ｎ）・・・式２
Ｍ  ：  盗撮の検出に必要な映画のフレーム数
Ｎ  ：  輝度測定フレーム数ごとの測定回数（Ｍ，Ｎ：整数）
輝度測定フレーム数（４０時）    Ｍ＝３、Ｎ＝５  ：映画３フレームで５回の測定
輝度測定フレーム数（６０時）    Ｍ＝２、Ｎ＝５  ：映画２フレームで５回の測定
輝度測定フレーム数（１２０時）  Ｍ＝１、Ｎ＝５  ：映画１フレームで５回の測定
【００７４】
４０フレーム／秒、６０フレーム／秒、１２０フレーム／秒は上記の条件を満足する輝度測定フレーム数であるので、これらを例にあげて測定される平均輝度について以下に説明する。
まず、輝度測定フレーム数を４０フレーム／秒とした場合、図１９の５つの平均輝度Ｙ１〜Ｙ５のうち、半分以上が投影期間であるＹ１とＹ２が最大平均輝度となり、半分以上が不投影期間であるＹ４とＹ５が最低平均輝度となる。
【００７５】
同様に、輝度測定フレーム数を６０フレーム／秒とした場合は、投影期間をすべて含んでいるＹ１とＹ２が最大平均輝度であり、不投影期間をすべて含んでいるＹ４とＹ５が最低輝度となる。
輝度測定フレーム数を１２０フレーム／秒とした場合は、すべて投影期間であるＹ１とＹ６が最大平均輝度であり、すべて不投影期間であるＹ５とＹ１０が最低平均輝度となる。
以上のように、適切な輝度測定フレーム数を選択することで盗撮行為の検出を確実に行うことができる。
【００７６】
次に、図２１、図２２、図２３を用いて映画盗撮時の輝度測定フレーム数と平均輝度変化の関係について説明する。
図２１に輝度測定フレーム数４０フレーム／秒時の平均輝度値を、図２２に輝度測定フレーム数６０フレーム／秒時の平均輝度値を、図２３に輝度測定フレーム数１２０フレーム／秒時の平均輝度値を示す。
【００７７】
これら図２１、図２２、図２３より明らかなように、輝度測定期間内における投影期間の占める割合あるいは不投影期間の占める割合は、輝度測定フレーム数が高くなるにつれて大きくなるので、一定時間内（たとえば輝度測定期間の５回分）における平均輝度の最大値と最小値の比は大きくなる。つまり、輝度測定フレーム数を高くすることで、より確実に映画の盗撮行為の判別ができるということがわかる。
【００７８】
しかしながら、むやみに輝度測定フレーム数を高くする、つまり輝度測定周期を短くすると、制御部の演算量の増加により撮像装置の消費電力が増加することになる。よって、検出精度の向上が必要とされる場合のみ輝度測定フレーム数を高くするように構成するとよい。
本実施例３においては、後述する通り、映画の盗撮の可能性が高い場合のみに輝度測定フレーム数を高くするようにしている。
【００７９】
次に、図１７、及び図２４を用いて本実施例３に適用される撮像装置の動作について説明する。図２４は、本実施例３に適用される撮像装置の動作を説明するフローチャートである。
撮像装置に電源が投入されると、輝度測定フレーム数初期値Ｆiniをセットし（ステップＳ３０１）、次に、電源ボタンが押下されたか否か、即ち、電源がオフされたか否か判定し（ステップＳ３０２）、押下されている場合には処理を終了する（ステップＳ３０３）。
【００８０】
次に輝度測定フレーム数に従い平均輝度演算部より５回分の平均輝度値を取得する（ステップＳ３０４，ステップＳ３０５）。この５回の平均輝度値の最大値Ｙmaxと最小値Ｙminとの比Ｙratを算出する（ステップＳ３０６）。求めたＹratがＲＯＭ３１０８内の既定輝度比率Ｙlim以上かどうかを判断し（ステップＳ３０７）、もしＹlim以上であれば検出数Ｋをカウントアップさせる（ステップＳ３０８）。
【００８１】
ここで、既定輝度比率Ｙlimについて説明する。輝度測定フレーム数４０フレーム／秒で測定した場合、映画の投影フレームと輝度測定フレームとの位相関係より、連続する５つの輝度測定期間には、
ａ）映画の１フレームに２箇所存在する不投影期間のうちの１箇所をすべて測定し、それ以外は投影期間を測定する輝度測定期間（平均輝度最大値）と、
ｂ）映画の１フレームに２箇所存在する投影期間のうちの１箇所をすべて測定し、それ以外は不投影期間を測定する輝度測定期間（平均輝度最小値）と、
が必ず存在することになる。
よって、測定期間に投影期間をすべて測定した場合の平均輝度を１００％とすると、上記ａ）の平均輝度は５８．３％、ｂ）の平均輝度は４１．７％となる。つまり、連続する５つの輝度測定期間の平均輝度を求めて、この５つの平均輝度の最小値と最大値の比が１．４（５８．３％／４１．７％）となることを検出すれば映画の盗撮を検出することができる。ここで、外光等により、平均輝度の最大値、最小値は影響を受ける可能性があるので、その場合にも盗撮の検出が可能となるように、１．４に対し小さな値、例えば１．２５にＹlimを設定する。
【００８２】
次に、処理フレーム数Ｒをカウントアップし（ステップＳ３０９）、Ｒの値が既定値Ｒmax以上かどうかの判定を行う（ステップＳ３１０）。処理フィールド数Ｒが既定値Ｒmax以上であった場合には記録中かどうかの判定を行い（ステップＳ３１１）、以下であった場合には録画ボタンが押下されたか否かの判定を行う（ステップＳ３１６）。記録ボタンが押下されていない場合には検出数Ｋと処理回数Ｒをリセットし（ステップＳ３２３）、検出動作を始めから行う。録画ボタンが押下されている場合には検出数Ｋが既定検出数Ｋmax１以上かどうかの判定を行い（ステップＳ３１７）、以上であった場合には警告メッセージを送出する（ステップＳ３１８）。Ｋmax１以下であった場合には記録を開始する（ステップＳ３１９）。
【００８３】
ここで、検出数ＫはＫlim１以下であった場合でも撮像条件等により検出できなかった可能性も考えられるので、さらに既定検出数Ｋmax２（Ｋmax２＜Ｋmax１）以下かどうかの判定を行い（ステップＳ３２０）、以上であった場合には輝度測定フレーム数を高くし（ステップＳ３２１）、検出精度を上げる。Ｋmax２以下であった場合には、消費電力の削減のために輝度測定フレーム数初期値Finiより小さくならない範囲で輝度測定フレーム数を低くする（ステップＳ３２２）。
【００８４】
記録中であった場合には検出数ＫがＲＯＭ内の既定検出数Ｋmax１以上かどうかを判断し（ステップＳ３１２）、以上であった場合には、一定の時間、警告メッセージを画像表示部３１０３に表示するとともに、記録部３１０２により撮像画像に重畳させて記録する（ステップＳ３１３）。次に、ユーザの意向とは無関係に強制的に記録を終了（ステップＳ３１４）し、制御部３１０６は、記録した記録データを消去する（ステップＳ３１５）。
【００８５】
警告メッセージ表示することで、利用者に盗撮行為が検出されたことにより記録が終了することを認識させることができる。なお、記録画像を消去するにもかかわらず警告メッセージを撮像画像に記録するのは、磁気テープ、光ディスクなどの記録媒体を瞬時に抜き取られた場合においても記録画像の価値を著しく低下させることが可能となり、記録画像を瞬時に辞去できないメディアに対しても盗撮行為を無意味なものにするためである。
【００８６】
ここで、既定フレーム数Ｒmax、既定検出数Ｋmax１、Ｋmax２について説明する。盗撮検出を短時間で行った場合、映画の映像の輝度変化などの外乱により誤検出が発生する可能性がある。この外乱が長時間連続する可能性は極めて低いので、ある程度の検出期間を設ければ誤検出は防止可能である。その反面、盗撮検出期間中は映画の撮像が可能となってしまい、検出期間を長くすればするほど盗撮される可能性が高くなる。
よって、検出期間は数分〜十数分程度に設定するのが望ましい。検出期間を１０分とした場合には、既定フレーム数Ｒmaxは２４０００フレーム（４０フレーム／秒×６０秒×１０分）となる。
【００８７】
本実施例３では、５つの輝度測定期間で１回の盗撮検出となるので、検出期間中の検出回数は、４８００回（Ｒmax÷５）となる。この検出回数のうち、例えば、５割（Ｋmax１＝２４００回）にＹlim以上の値が検出された場合に映画の盗撮と判定するようにする。また、この検出回数のうち、例えば、２割（Ｋmax２＝９６０回）にＹlim以上の値が検出された場合、映画の盗撮の可能性があると判断して輝度測定フレーム数の判定を行うようにする。
【００８８】
尚、実施例３においては、映画を２４フレーム／秒として説明したが、映画のフレーム数はこれに限定されるのもではない。また、２つの測定期間の平均輝度を比較することで盗撮行為を検出するとしたが、比較する平均輝度は２つに限定されるものではなく、複数の平均輝度より算出してもよい。
さらに、輝度測定を常に連続して行う構成を説明したが、これに限定されるものではなく図２５のように断続的に行ってもよい。
【００８９】
上述の実施例１〜３は、撮像装置において映画上映の盗撮行為を検出し、抑制する実施例について説明したが、以下に再生装置において、映画上映の盗撮映像の再生を阻止する実施例について説明する。
【００９０】
＜実施例４＞
図２６を用いて実施例４に適用される再生装置４００の構成例を説明する。再生部４０１は、磁気テープ、ＨＤＤ、磁気ディスク、メモリ、光ディスク等の記録メディアに記録された映像信号を読み取り、エラー訂正、Ｄ／Ａ変換など再生処理を行い、外部のモニタ（画像表示部）４０７に出力する。
【００９１】
フィールド平均輝度演算部４０２は、再生部４０１において再生処理された再生画像の１フィールドの平均輝度を算出する。警告送出部４０４は、映画の盗撮を検出した場合に、再生部４０１に警告メッセージを供給し、再生部４０１を介して警告メッセージを映像と共に外部のモニタ４０７に出力する。
【００９２】
制御部４０３は、フィールド平均輝度演算部４０２から算出されたフィールドの平均輝度に基づいて、再生された映像信号が映画の盗撮であるか否かを検出する。制御部４０３での映画盗撮の検出は、上述の実施例１と同様の構成を用いる。
【００９３】
実施例１と同様に、ＲＯＭ４０５は、検出に用いられる既定数を格納している。ＲＡＭ４０６は、演算時のワーク領域として用いられる。
【００９４】
制御部４０３は、フィールド平均輝度演算部４０２から算出されたフィールドの平均輝度に基づいて、再生された映像信号が映画の盗撮であることを検出すると、警告送出部４０４を介して再生部４０１に警告メッセージを供給し、警告メッセージを映像と共に外部のモニタ４０７に出力する。また、制御部４０３は、警告メッセージを表示するとともに、ユーザの意向とは無関係に強制的に再生部４０１の再生を停止させる。警告メッセージ表示することで、ユーザに盗撮行為が検出されたことにより再生が停止されたことを認識させることができる。
【００９５】
＜実施例５＞
図２７を用いて実施例５に適用される再生装置５００の構成例を説明する。再生部５０１は、磁気テープ、ＨＤＤ、磁気ディスク、メモリ、光ディスク等の記録メディアに記録された映像信号を読み取り、エラー訂正、Ｄ／Ａ変換など再生処理を行い、外部のモニタ（画像表示部）５０７に出力する。
【００９６】
平均輝度演算部５０２は、再生部５０１において再生処理された再生画像の１フィールドを期間Ｔｓ１、期間Ｔｓ２に分割し、期間Ｔｓ１、期間Ｔｓ２それぞれの平均輝度を算出する。警告送出部５０４は、映画の盗撮を検出した場合に、再生部５０１に警告メッセージを供給し、再生部５０１を介して警告メッセージを映像と共に外部のモニタ５０７に出力する。
【００９７】
制御部５０３は、平均輝度演算部５０２から算出された期間Ｔｓ１、期間Ｔｓ２平均輝度に基づいて、再生された映像信号が映画の盗撮であるか否かを検出する。制御部５０３での映画盗撮の検出は、上述の実施例２と同様の構成を用いる。この実施例５は、再生装置であるので、期間Ｔｓ１、期間Ｔｓ２の分割は、輝度を測定する処理をする場合のみに用い、再生映像信号は、分割せずに外部のモニタ５０７に出力する。
【００９８】
実施例２と同様に、ＲＯＭ５０５は、検出に用いられる既定数を格納している。ＲＡＭ５０６は、演算時のワーク領域として用いられる。
【００９９】
制御部５０３は、平均輝度演算部５０２から算出された期間Ｔｓ１、期間Ｔｓ２の平均輝度に基づいて、再生された映像信号が映画の盗撮であることを検出すると、警告送出部５０４を介して再生部５０１に警告メッセージを供給し、警告メッセージを映像と共に外部のモニタ５０７に出力する。また、制御部５０３は、警告メッセージを表示するとともにユーザの意向とは無関係に強制的に再生部５０１の再生を停止させる。警告メッセージ表示することで、ユーザに盗撮行為が検出されたことにより再生が停止されたことを認識させることができる。
【図面の簡単な説明】
【０１００】
【図１】実施例１に適用される撮像装置の構成の一例を示す図である。
【図２】映画フレームと撮像フィールドの関係を説明するための図である。
【図３】映画の映写方法を説明するための図である。
【図４】通常撮像時のフィールド平均輝度変化の一例を説明するための図である。
【図５】映画盗撮時のフィールド平均輝変化例の一例を説明するための図である。
【図６】映画盗撮時のフィールド平均輝変化例の一例を説明するための図である。
【図７】実施例１に適用される撮像装置の動作を説明するためのフローチャートの一例である。
【図８】実施例２に適用される撮像装置の構成の一例を示す図である。
【図９】映画の盗撮検出方法の説明図である。
【図１０】映画フレームと撮像フィールドの関係を説明するための図である（ＮＴＳＣ方式）。
【図１１】映画盗撮時のフィールド平均輝度変化の一例を説明するための図である（ＮＴＳＣ方式）。
【図１２】映画フレームと撮像フィールドの関係を説明するための図である（ＰＡＬ方式）。
【図１３】映画盗撮時のフィールド平均輝度変化の一例を説明するための図である（ＰＡＬ方式）。
【図１４】期間Ｔｓ１と期間Ｔｓ２とから得られる平均輝度の比が最も小さくなる場合を説明するための図である（ＮＴＳＣ方式）。
【図１５】期間Ｔｓ１と期間Ｔｓ２とから得られる平均輝度の比が最も小さくなる場合を説明するための図である（ＰＡＬ方式）。
【図１６】実施例２に適用される撮像装置の動作を説明するためのフローチャートの一例である。
【図１７】実施例３に適用される撮像装置の構成の一例を示す図である。
【図１８】通常撮像時の平均輝度変化の一例を説明するための図である。
【図１９】映画フレームと輝度測定フレーム数の関係を説明するための図である。
【図２０】映画フレームと輝度測定フレーム数の関係を説明するための図である。
【図２１】映画盗撮時の平均輝度変化の一例を説明するための図である（輝度測定フレーム数４０／秒時）。
【図２２】映画盗撮時の平均輝度変化の一例を説明するための図である（輝度測定フレーム数６０／秒時）。
【図２３】映画盗撮時の平均輝度変化の一例を説明するための図である（輝度測定フレーム数１２０／秒時）。
【図２４】実施例３に適用される撮像装置の動作を説明するためのフローチャートの
【図２５】輝度測定期間を説明するための図である。
【図２６】実施例４に適用される再生装置の構成の一例を示す図である。
【図２７】実施例５に適用される再生装置の構成の一例を示す図である。
【符号の説明】
【０１０１】
１０１，２１０１，３１０１…撮像部
１０２，２１０１，３１０１…記録部
１０３，２１０３，３１０３…画像表示部
１０４，２１０４，３１０４…フィールド平均輝度演算部
１０５，２１０５，３１０５…警告送出部
１０６，２１０６，３１０６…制御部
１０７、２１０７，２１０８，４０６，５０６…ＲＡＭ
１０８、２１０８，３１０８，４０５，５０５…ＲＯＭ
４００，５００…再生装置
４０１，５０１…再生部
４０２…フィールド平均輝度演算部
４０３…平均輝度演算部
４０３，５０３…制御部
４０４，５０４…警告送出部
【図１】
2008278454.tif 000003
【図２】
2008278454.tif 000004
【図３】
2008278454.tif 000005
【図４】
2008278454.tif 000006
【図５】
2008278454.tif 000007
【図６】
2008278454.tif 000008
【図７】
2008278454.tif 000009
【図８】
2008278454.tif 000010
【図９】
2008278454.tif 000011
【図１０】
2008278454.tif 000012
【図１１】
2008278454.tif 000013
【図１２】
2008278454.tif 000014
【図１３】
2008278454.tif 000015
【図１４】
2008278454.tif 000016
【図１５】
2008278454.tif 000017
【図１６】
2008278454.tif 000018
【図１７】
2008278454.tif 000019
【図１８】
2008278454.tif 000020
【図１９】
2008278454.tif 000021
【図２０】
2008278454.tif 000022
【図２１】
2008278454.tif 000023
【図２２】
2008278454.tif 000024
【図２３】
2008278454.tif 000025
【図２４】
2008278454.tif 000026
【図２５】
2008278454.tif 000027
【図２６】
2008278454.tif 000028
【図２７】
2008278454.tif 000029